(57)【要約】【課題】構造の簡略化、部品点数の低減及び軽量化を図ると共に安全性を向上させることができる昇降可能なカーテンレールを備えたカーテン装置を提供する。【解決手段】カーテン装置１００は、固定設置された昇降機構１と、これにベルト１５によって昇降可能に連結されたカーテンレール２からなる。昇降機構１は、ベルト１５のそれぞれの一端を固定した状態でベルト１５を回転軸１２に巻回しており、垂下したベルト１５の他端は昇降用コード１６の操作に応じて昇降する。カーテン生地２０が取り付けられたカーテンレール２は窓枠等には固定されず、建造物に接触しないで昇降可能な様にしてベルト１５の他端にカーテンレール２が取り付けられている。昇降用コード１６の操作に応じて昇降機構１はベルト１５の巻き上げ・巻き出しを行い、これによりカーテンレール２が昇降する。【選択図】図１
2011143234.tif 000002
【特許請求の範囲】
【請求項１】
カーテン生地の取り付け及び取り外しを容易に行うことが可能な位置までカーテンレールを下降させ、さらに、元の位置まで上昇させる昇降可能なカーテンレールを備えたカーテン装置において、
所定の高さ位置に設置固定され、昇降用コードの操作に応じて巻き取り巻き出し可能な吊下部材を備えた昇降機構の前記吊下部材の一端に前記カーテンレールを取り付け、前記昇降用コードの操作によって前記カーテンレールを昇降させることを特徴とする昇降可能なカーテンレールを備えたカーテン装置。
【請求項２】
請求項１に記載の昇降可能なカーテンレールを備えたカーテン装置において、
前記昇降機構は、
天井や壁面などに固定する取付具と、
前記取付具に軸支された回転軸と、
前記回転軸に巻回された所定の長さを有する前記吊下部材と、
を備えてなることを特徴とする昇降可能なカーテンレールを備えたカーテン装置。
【請求項３】
請求項１又は２に記載の昇降可能なカーテンレールを備えたカーテン装置において、
前記昇降機構は、
前記回転軸に取り付けられたプーリと、
前記プーリに懸架され、その引き方向に応じて前記プーリを回転させる前記昇降用コードと、
を備えてなることを特徴とする昇降可能なカーテンレールを備えたカーテン装置。
【請求項４】
請求項１から３のいずれか１項に記載の昇降可能なカーテンレールを備えたカーテン装置において、
前記昇降機構は、
前記カーテンの長さに相当する長さを有して筐体又は軸受けに軸支された回転軸と、
前記回転軸に巻回されている所定長の前記吊下部材と、
前記回転軸の前記吊下部材の１つの近傍に取り付けられたプーリと、
前記プーリに懸架され、その引き方向に応じて前記プーリを回転させる前記昇降用コードと、
を備えてなることを特徴とする昇降可能なカーテンレールを備えたカーテン装置。
【請求項５】
請求項１から４のいずれか１項に記載の昇降可能なカーテンレールを備えたカーテン装置において、
前記昇降機構は、
前記カーテンレールの長手方向の両端部近傍の２箇所をそれぞれ昇降させるようにしてなることを特徴とする昇降可能なカーテンレールを備えたカーテン装置。
【請求項６】
請求項１から４のいずれか１項に記載の昇降可能なカーテンレールを備えたカーテン装置において、
前記カーテンレールはその長手方向の途中位置で折り曲げ可能に形成されると共に、前記昇降機構によって前記吊下部材を昇降させることで前記カーテンレールの一部を斜めに傾斜可能に形成され、傾斜した当該カーテンレールの下端部側へ前記カーテン生地を寄せることでカーテン生地の交換を行い易くしたことを特徴とする昇降可能なカーテンレールを備えたカーテン装置。
【請求項７】
カーテン生地の取り付け及び取り外しを容易に行うことが可能な位置までカーテンレールを下降させ、さらに、元の位置まで上昇させる昇降可能なカーテンレールを備えたカーテン装置において、
下端が前記カーテンレールに固定され、上端を前記カーテンレールの最上昇位置よりも上方に位置させた複数の吊下部材の前記上端をコントローラの操作に応じて動作する昇降機構によって移動させることにより前記カーテンレールを昇降させることを特徴とする昇降可能なカーテンレールを備えたカーテン装置。
【請求項８】
請求項７に記載の昇降可能なカーテンレールを備えたカーテン装置において、
前記昇降機構は、
前記コントローラによって制御されるモータの回転を減速させて出力する駆動機構と、
前記駆動機構の出力軸に連結されて回転するスクリューシャフトと、
前記スクリューシャフトに噛合するように取り付けられるとともに前記複数の吊下部材の上端が固定され、前記スクリューシャフトの回転に応じてその長手方向へ移動可能な吊下部材保持具と、
前記吊下部材の所定範囲をガイド及び位置決めする複数のローラと、
を備えてなることを特徴とする昇降可能なカーテンレールを備えたカーテン装置。
【請求項９】
請求項７に記載の昇降可能なカーテンレールを備えたカーテン装置において、
前記昇降機構は、
前記コントローラによって制御されるモータ及び該モータの回転方向に応じて前記吊下部材の巻き取り巻き出しを行うローラを備えた駆動機構と、
前記複数の吊下部材の所定範囲をガイド及び位置決めする複数のローラと、
を備えてなることを特徴とする昇降可能なカーテンレールを備えたカーテン装置。
【発明の詳細な説明】
【技術分野】
【０００１】
本発明は、昇降可能なカーテンレールを備えたカーテン装置に関し、さらに詳しくは、カーテン生地の取り付け及び取り外しを容易に行うことが可能な位置までカーテンレールを下降させ、さらに、元の位置まで上昇させることを可能にした昇降可能なカーテンレールを備えたカーテン装置に関する。
【背景技術】
【０００２】
カーテンレールに取り付けられているカーテン生地（スクリーン）を洗濯、取り替えなどのためにカーテンレールから取り外したい場合などには、踏み台や椅子などに乗って取り外しを行うのが一般的である。しかし、踏み台や椅子などに乗って作業を行うのは面倒であり危険である。また、カーテンレールが高い位置に取り付けられている場合には、踏み台や椅子などの高さが足りない場合もあり、交換作業が容易に行えないこともある。さらに、踏み台や椅子などから転落するおそれもある。
【０００３】
そこで、簡単な操作により、遮蔽材（カーテン生地）が取り付けられたレールをユーザーの手の届く高さまで下降させ、さらに元の位置までレールを上昇させることができるようにした遮蔽材用可動型レールが知られている（例えば、特許文献１参照）。この遮蔽材用可動型レールは、窓枠、天井等に固定された第１のレール構成部材と、第１のレール構成部材に対して重なる様にして第１のレール構成部材の下方に複数の昇降紐を介して昇降可能に配設された第２のレール構成部材と、第２のレール構成部材に水平移動可能に取り付けられた複数のランナーと、複数のフックを介して上記各ランナーに取り付けられたカーテン生地と、を備えて構成されている。
【０００４】
この遮蔽材用可動型レールにおいてカーテン生地を第２のレール構成部材から取り外したい場合、ユーザーが操作部を第２のレール構成部材が下降するように操作すれば、第１のレール構成部材に設けられている巻き取りドラムから複数の昇降紐が巻き戻されユーザーが作業しやすい高さまで第２のレール構成部材を下降させることができ、その状態でランナーからフックを外すことによってカーテン生地を取り外すことができる。
【０００５】
さらに、上記特許文献１には、上記構成において２つのパンタグラフ機構を追加し、これらを第１のレール構成部材と第２のレール構成部材との間に介在させ、第１のレール構成部材と第２のレール構成部材との平行性を維持できるようにした構成も示されている。
【先行技術文献】
【特許文献】
【０００６】
【特許文献１】特開２００９−２４７６４６号公報
【発明の概要】
【発明が解決しようとする課題】
【０００７】
しかし、上記した従来の遮蔽材用可動型レールは、構成部品の数が多いために、製造工程が複雑になる、製品の自重が重くなる、製造コストが高くなる等の問題がある。
【０００８】
そこで、本発明は、かかる問題点に鑑みなされたもので、構造の簡略化、部品点数の低減及び軽量化を図ると共に、安全性を向上させることができる昇降可能なカーテンレールを備えたカーテン装置を提供することを目的とする。
【課題を解決するための手段】
【０００９】
上記目的を達成するため、請求項１に記載の本発明は、カーテン生地の取り付け及び取り外しを容易に行うことが可能な位置までカーテンレールを下降させ、さらに、元の位置まで上昇させる昇降可能なカーテンレールを備えたカーテン装置において、所定の高さ位置に設置固定され、昇降用コードの操作に応じて巻き取り巻き出し可能な吊下部材を備えた昇降機構の吊下部材の一端にカーテンレールを取り付け、昇降用コードの操作によってカーテンレールを昇降させることを特徴とする昇降可能なカーテンレールを備えたカーテン装置を提供する。
【００１０】
上記目的を達成するため、請求項２に記載の本発明は、請求項１に記載の昇降可能なカーテンレールを備えたカーテン装置において、昇降機構は、天井や壁面などに固定する取付具と、取付具に軸支された回転軸と、回転軸に巻回された所定の長さを有する吊下部材と、を備えてなることを特徴とする昇降可能なカーテンレールを備えてなることを特徴とする。
【００１１】
上記目的を達成するため、請求項３に記載の本発明は、請求項１又は２に記載の昇降可能なカーテンレールを備えたカーテン装置において、昇降機構は、回転軸に取り付けられたプーリと、プーリに懸架され、その引き方向に応じてプーリを回転させる昇降用コードとを備えてなることを特徴とする。
【００１２】
上記目的を達成するため、請求項４に記載の本発明は、請求項１から３のいずれか１項に記載の昇降可能なカーテンレールを備えたカーテン装置において、昇降機構は、カーテンの長さに相当する長さを有して筐体又は軸受けに軸支された回転軸と、回転軸に巻回されている所定長の吊下部材と、回転軸の吊下部材の１つの近傍に取り付けられたプーリと、プーリに懸架され、その引き方向に応じてプーリを回転させる昇降用コードとを備えてなることを特徴とする。
【００１３】
上記目的を達成するため、請求項５に記載の本発明は、請求項１から４のいずれか１項に記載の昇降可能なカーテンレールを備えたカーテン装置において、昇降機構は、カーテンレールの長手方向の両端部近傍の２箇所をそれぞれ昇降させるようにしてなることを特徴とする昇降可能なカーテンレールを備えてなることを特徴とする。
【００１４】
上記目的を達成するため、請求項６に記載の本発明は、請求項１から４のいずれか１項に記載の昇降可能なカーテンレールを備えたカーテン装置において、カーテンレールはその長手方向の途中位置で折り曲げ可能に形成されると共に、昇降機構によって吊下部材を昇降させることでカーテンレールの一部を斜めに傾斜可能に形成され、傾斜したカーテンレールの下端部側へカーテン生地を寄せることでカーテン生地の交換を行い易くしたことを特徴とする。
【００１５】
上記目的を達成するため、請求項７に記載の本発明は、カーテン生地の取り付け及び取り外しを容易に行うことが可能な位置までカーテンレールを下降させ、さらに、元の位置まで上昇させる昇降可能なカーテンレールを備えたカーテン装置において、下端がカーテンレールに固定され、上端をカーテンレールの最上昇位置よりも上方に位置させた複数の吊下部材の上端をコントローラの操作に応じて動作する昇降機構によって移動させることによりカーテンレールを昇降させることを特徴とする昇降可能なカーテンレールを備えたカーテン装置を提供する。
【００１６】
上記目的を達成するため、請求項８に記載の本発明は、請求項７に記載の昇降可能なカーテンレールを備えたカーテン装置において、昇降機構は、コントローラによって制御されるモータの回転を減速させて出力する駆動機構と、駆動機構の出力軸に連結されて回転するスクリューシャフトと、スクリューシャフトに噛合するように取り付けられるとともに複数の吊下部材の上端が固定され、スクリューシャフトの回転に応じてその長手方向へ移動可能な吊下部材保持具と、吊下部材の所定範囲をガイド及び位置決めする複数のローラと、を備えてなることを特徴とする。
【００１７】
上記目的を達成するため、請求項９に記載の本発明は、請求項７に記載の昇降可能なカーテンレールを備えたカーテン装置において、昇降機構は、コントローラによって制御されるモータ及び該モータの回転方向に応じて吊下部材の巻き取り巻き出しを行うローラを備えた駆動機構と、複数の吊下部材の所定範囲をガイド及び位置決めする複数のローラと、を備えてなることを特徴とする。
【発明の効果】
【００１８】
本発明に係る昇降可能なカーテンレールを備えたカーテン装置によれば、構造の簡略化、部品点数の低減及び軽量化が図れると共に安全性を向上させることができる。
【図面の簡単な説明】
【００１９】
【図１】本発明に係る昇降可能なカーテンレールを備えたカーテン装置の第１の実施の形態を示す正面図である。
【図２】図１における昇降機構の拡大正面図である。
【図３】図１における昇降機構の側面図である。
【図４】本発明に係るカーテン装置の第２の実施の形態を示す昇降機構の正面図である。
【図５】本発明に係る昇降可能なカーテンレールを備えたカーテン装置の第３の実施の形態を示す正面図である。
【図６】本発明に係る昇降可能なカーテンレールを備えたカーテン装置の第４の実施の形態を示す正面図である。
【図７】第４の実施の形態におけるカーテン生地の取り外しを説明する図である。
【図８】本発明に係る昇降可能なカーテンレールを備えたカーテン装置の第５の実施の形態を示す正面図である。
【図９】第５の実施の形態の実施形態における制御系を示す結線図である。
【図１０】本発明に係る昇降可能なカーテンレールを備えたカーテン装置の第６の実施の形態を示す正面図である。
【発明を実施するための形態】
【００２０】
［第１の実施の形態］
［カーテン装置の構成］
図１は、本発明に係るカーテン装置の第１の実施の形態を示す正面図、図２は、図１における昇降機構の拡大図である。尚、図１及び図２においては、カバーを断面図で示している。このカーテン装置１００は、概略として、建屋内の図示しない窓枠、壁，天井等に取り付けられた昇降機構１と、昇降機構１より垂下している２つのベルト（吊下部材）１５に連結され、カーテン生地（以下、スクリーンと言う。）２０が取り付けられており、ユーザーによる昇降機構１の操作に伴ってユーザーの手の届く高さまで下降可能なカーテンレール２と、を備えている。
【００２１】
ベルト１５は、径年変化等が生じ難く曲げや伸びに強く、且つ、耐熱性、耐湿性等を有するシート状の素材、例えば、ポリエステル、ガラス繊維等の素材を用いて構成されている。ベルト１５は、所定の幅サイズ、例えば、カーテンレール２の長さ方向に対し直角方向の幅サイズを有して形成されており、その一端（上側端）が昇降機構１に固定され、他端（下側端）が昇降機構１より垂下してカーテンレール２に連結されている。したがって、カーテンレール２は、ベルト１５の巻き状態に応じて、昇降機構１の下側に密着した状態の高さからユーザーの手の届く高さまでの範囲内で停止可能であり、昇降機構１の下側に密着した状態以外の高さにおいては、カーテンレール２は左右には揺動可能であるが、前後方向には揺動しないようになっている。
【００２２】
スクリーン２０は、その上端は水平移動が可能な図示しないランナー等の取付具を介してカーテンレール２に取り付けられ、カーテンレール２の昇降に伴って昇降するようになっている。
【００２３】
［昇降機構の構成］
図３は、昇降機構の構成を示す側面図である。昇降機構１は左右の構成が同じであるので、図２及び図３においては図１における左側の構成のみを図示している。また、図３においては、図１及び図２に示したカバー１０の図示を省略している。昇降機構１は、概略として、コ字状の断面形状を有して窓枠等に固定される取付具１１と、取付具１１に水平に取り付けられた回転軸１２と、回転軸１２に取り付けられた芯１３及びプーリ１４と、所定長が芯１３に巻き取られている上記ベルト１５と、ループ状を成してプーリ１４に懸架され、その引き方向に応じて回転軸１２、プーリ１４及び芯１３が回転する昇降用コード１６とを備え、これらはカバー１０によって覆われている。プーリ１４は、その外周面にＶ溝２２が１周するように設けられており、このＶ溝２２にはチェーン等による昇降用コード１６が懸架されている。
【００２４】
尚、昇降機構１は、カーテンレール２の自重によってベルト１５に荷重が加わり、ユーザーが操作コード１６を操作しないにも関わらず回転軸１２が勝手に回転する可能性がある。そこで、操作コード１６が操作されないときには、回転軸１２の回転をロックする空転防止機構（図示せず）が設けられている。この空転防止機構には、例えば、チェーン式ロールスクリーンにおいて従来から用いられているスプリングによるシャフトグリップ機構が流用可能である。
【００２５】
［カーテンレールの構成］
カーテンレール２は、取付対象の窓枠の横幅以上の長さを有し、その上面には２本のベルト１５の下端を固定する２つのブラケット２１Ａ，２１Ｂが取り付けられている。そして、カーテンレール２には長手方向にスライド自在な図示しない多数のランナーが配置されている。カーテンレール２は、各社から市販されている製品を使用することができる。
【００２６】
［カーテンレールの昇降操作］
次に、上述したカーテンレール２の昇降操作について説明する。通常の使用状態では、カーテンレール２は昇降機構１に密着する高さまで上昇した状態にされている。この状態において、スクリーン２０を洗濯や取り替え換等のためにカーテンレール２から取り外したい場合、ユーザーは、左右の昇降用コード１６の一方又は両方を例えば反時計方向に回るように手で引く操作をすると、その操作状態に応じてカーテンレール２の片方又は両方が下がり始める。この昇降用コード１６を引く操作を継続すると、ベルト１５が回転軸１２から巻き戻されることによってカーテンレール２及びスクリーン２０の上端は徐々に下降し、例えば、床上１ｍ程度まで下降する。カーテンレール２がユーザーの手の届く位置まで下降すれば、ユーザーはスクリーン２０をカーテンレール２から取り外すことができる。尚、昇降用コード１６の操作は、カーテンレール２を水平状態を保つようにして昇降させるために左右を同等に操作する必要はない。例えば、カーテンレール２の左側あるいは右側だけを降下させるように昇降用コード１６を操作すればカーテンレール２は傾斜することになる。そして、この傾斜によってスクリーン２０が左側あるいは右側に寄ってくるのでスクリーン２０の取り外しを行うことができるからである。
【００２７】
スクリーン２０が取り外されたカーテンレール２には、ユーザーによって別のスクリーン（或いは、取り外した洗濯済みのスクリーン）２０が取り付けられる。次に、ユーザーは、昇降用コード１６に対して上記操作とは逆の操作、即ち、昇降用コード１６を時計方向に引く操作を継続すると、カーテンレール２は徐々に上昇し始める。カーテンレール２が昇降機構１に密着する高さまで上昇したら、ユーザーは昇降用コード１６の引き操作を中止する。尚、左右の昇降用コード１６を左右個別に操作すると左側だけあるいは右側だけが上昇し、カーテンレール２は水平状態ではなくなるが、左右が共に最上端位置に達したときにはカーテンレール２は水平になるので必ずしもカーテンレール２は水平状態を保ったままで昇降させなくてもよい。
【００２８】
［第１の実施の形態の効果］
第１の実施の形態によれば、ベルト１５によってカーテンレール２を昇降機構１から吊り下げておき、ベルト１５の巻き出し・巻き上げによってカーテンレール２を昇降させるようにしたため、スクリーン２０の取り外し・取り付け作業を簡単及び安全に行うことができる。
【００２９】
また、第１の実施の形態によれば、踏み台、椅子等に乗る必要が無いため、転倒等の事故を未然に防止することができ、これによってカーテンレール２へのスクリーン２０の着脱を安全にとり行うことができる。さらに、踏み台や椅子を用意する必要が無くすことができる。
【００３０】
また、第１の実施の形態によれば、所定の幅サイズを有するベルト１５を採用したことでカーテンレール２の前後方向の揺動が抑制されるのでスクリーン２０の交換作業が行いやすくなる。さらに、カーテン装置１００の部品数を低減することができるため、コストダウンが図れると共に製造時間の短縮及び設置時間の短縮が可能になる。
【００３１】
［第２の実施の形態］
図４は、本発明に係るカーテン装置の第２の実施の形態を示す昇降機構の正面図である。本実施の形態は、第１の実施の形態において、１カ所に設けた１つの昇降用コード１６によって昇降機構１の昇降を行えるようにしたものである。そのために、カーテンレール２に取り付けられているブラケット２１Ａ，２１Ｂのそれぞれの上方に回転軸１２が配設され、各回転軸１２にベルト１５を９０°に方向変換させるためのベルトガイド２３Ａ，２３Ｂを取り付けている。さらに、カーテンレール２の一端（図４では右端）の近傍に回転軸２４を配設すると共に、この回転軸２４には、２つのベルト１５を重ね巻きしている回転ドラム２５及び該回転ドラム２５と一体に回転するプーリ１４が取り付けられている。プーリ１４には、第１の実施の形態と同様にループ状の昇降用コード１６が懸架されている。
【００３２】
尚、昇降用コード１６を操作していないときにプーリ１４及び回転ドラム２５が勝手に回転しないようにするため、図示しないブレーキ機構及びロック機構の一方又は両方が、プーリ１４又は回転ドラム２５に併設されている。また、回転軸１２及び回転軸２４は窓枠等に個別に取り付けてもよいが、回転ドラム２５及びプーリ１４と共に図示していないカバー付きの筐体に取り付け、この筐体を窓枠等に取り付ける構成が望ましい。
【００３３】
第２の実施の形態のカーテン装置１００の使用方法は、第１の実施の形態と同じであるので説明を省略する。この構成においては、昇降用コード１６の引き方向に応じてプーリ１４が回転し、同時に回転ドラム２５が回転する。図４において、ユーザーが例えば昇降用コード１６を反時計方向に引いた場合、プーリ１４及び回転ドラム２５は反時計方向に回転し、回転ドラム２５に巻き付けられていた２つのベルト１５が共に巻き出され、２つのベルト１５の端部及びカーテンレール２が下降する。逆に、ユーザーが昇降用コード１６を時計方向に引けば、２つのベルト１５の端部及びカーテンレール２が上昇する。また。ベルト１５の幅方向をカーテンレール２の幅方向に沿って取り付けているので第１の実施の形態と同様にカーテンレール２の前後方向の揺動が抑制される。
【００３４】
この第２の実施の形態によれば、第１の実施の形態に比べ、さらに部品数を低減することができると共に、コストダウンが可能になる。
【００３５】
［第３の実施の形態］
図５は、本発明に係る昇降可能なカーテンレールを備えたカーテン装置の第３の実施の形態を示す正面図である。このカーテン装置２００は、概略として、第１の実施の形態に示した構造の上記昇降機構１と、昇降機構１より垂下している２つの上記ベルト１５に連結され、ユーザーによる昇降機構１の操作に伴って昇降すると共に上記カーテン生地２０が巻き取り可能に取り付けられているカーテン３とを備えている。尚、昇降機構１の構成は、図２及び図３に示した通りであるので説明を省略する。
【００３６】
ベルト１５のそれぞれは、第１の実施の形態と同様に、昇降機構１に一端（上側端）が固定され、昇降機構１より垂下している他端（下側端）はカーテン３に連結されている。したがって、カーテン３はベルト１５の巻き状態に応じて、昇降機構１の下側に密着した高さからユーザーの手の届く高さまでの範囲内で停止し、密着状態以外の高さにおいては、カーテンレール２は左右には揺動可能であるが、前後方向には揺動しないようになっている。
【００３７】
［カーテンの構成］
カーテン３は、ここではローマンシェード型を例示しているが、このタイプ以外のカーテンも適用可能であることは言うまでもない。カーテン３は、スクリーン２０を吊り下げるヘッドレール（カーテンレール）３１と、ヘッドレール３１の上面に設けられてベルト１５の各下端を固定する上記した２つのブラケット２１Ａ，２１Ｂと、スクリーン２０の下端に取り付けられたウェイトバー３２と、ヘッドレール３１の一方の端部（図５では右側の端部）から取り出された昇降コード３３と、昇降コード３３の一端を所定の位置で束ねるコード止め３４と、上端がコード止め３４に取り付けられると共に下端がウェイトバー３２の一端に取り付けられた操作コード３５と、ヘッドレール３１に設けられて昇降コード３３の非操作時の移動のロック及び操作時のロック・アンロックを行うロック機構３６とを備えている。
【００３８】
ヘッドレール３１は、スクリーン２０及びその付属物の自重によって回転軸１２が勝手に回転しないように、ブレーキ装置又はロック・アンロック機構を内蔵している。ブラケット２１Ａ，２１Ｂは、ベルト１５の下端の所定長の部分をネジ止め等によってヘッドレール３１の上面に固定する部材である。昇降コード３３及び操作コード３５は紐、チェーン等からなり、スクリーン２０に設けられている昇降コード（図示せず）に連結されている。
【００３９】
［カーテン装置の操作］
次に、上述したカーテン装置２００の一般的な操作について説明する。図５に示す様にスクリーン２０が引き下げられた状態のカーテン装置２００において、ユーザーが操作コード３５を所定の方向に引くと、ロック機構３６が作動してカーテン生地２０の昇降に対するロックが解除される。そのまま操作コード３５を最初に引いた方向へ引き続けると、スクリーン２０は水平を保ったまま昇降する。スクリーン２０が所望の高さになった時点でユーザーが操作コード３５を引く手を少し緩めるとロック機構３６が作動し、昇降コード３３がその位置でロックされ、スクリーン２０が停止する。
【００４０】
［カーテンの昇降操作］
次に、上述したカーテン３の昇降操作について説明する。通常の使用状態では、ヘッドレール３１は昇降機構１に密着する位置状態になっている。この状態において、スクリーン２０を洗濯、取り替え換等のためにヘッドレール３１から取り外したい場合、ユーザー（作業者）は、左右の昇降用コード１６の一方又は両方を例えば反時計方向に回るように手で操作すると、その操作状態に応じてヘッドレール３１の片方又は両方が下降し始める。この昇降用コード１６の操作を継続すると、ベルト１５が回転軸１２から巻き出されることによってヘッドレール３１及びスクリーン２０の上端は徐々に下降し、所望の高さまで下降する。ヘッドレール３１がユーザーの手の届く位置まで下降すれば、ユーザーはスクリーン２０をヘッドレール３１から取り外すことができる。
【００４１】
スクリーン２０が取り外されたヘッドレール３１には、ユーザーによって別の（或いは洗濯済みの）スクリーン２０が取り付けられる。次に、ユーザーは、昇降用コード１６に対して上記操作とは逆の操作、即ち、昇降用コード１６を時計方向に引く操作を継続すると、ヘッドレール３１は徐々に上昇し始める。ヘッドレール３１が所望の高さまで上昇すると、ユーザーは昇降用コード１６の操作を中止する。この時点でヘッドレール３１が水平状態でないとき、ユーザーは左右の昇降用コード１６を個々に細かに操作し、ヘッドレール３１を水平状態になるように調節する。
【００４２】
［第３の実施の形態の効果］
第３の実施の形態によれば、ローマンシェード型等のカーテンに対しても本発明の適用を可能にすることができると共に、第１の実施の形態と同様の効果を得ることができる。
【００４３】
尚、第３の実施の形態において、昇降機構１は図２及び図３に示した構成にしたが、これに代えて図４に示した構成を採用してもよい。
【００４４】
［第４の実施の形態］
図６は、本発明に係る昇降可能なカーテンレールを備えたカーテン装置の第４の実施の形態を示す正面図である。このカーテン装置３００は、第１の実施の形態において、カーテンレール２を窓枠等の建造物に取り付けられる固定レール２ａと建造物に固定及び接触しない可動レール２ｂとに分割すると共に両者を連結軸２ｃで連結して可動レール２ｂが結軸２ｃを中心に折り曲げ可能とし、さらに、可動レール２ｂの外側に図４の第２の実施の形態に示したプーリ１４、昇降用コード１６、回転軸２４及び回転ドラム２５を第２の実施の形態と同様にカーテンレール２の片側（図６では右側）の近傍に配設したものである。回転ドラム２５には１つのベルト１５が巻回され、その端部は可動レール２ｂの端面に固定されている。尚、固定レール２ａと可動レール２ｂの長さの比は、図６に示した割合に限るものではなく、例えば、２対１等であってもよい。
【００４５】
図７は、第４の実施の形態におけるカーテン生地の取り外しを説明する図である。このカーテン装置３００では、使用時には、図７（ａ）に示すように固定ベルト２ａと可動レール２ｂは平行しており、したがって、スクリーン２０の上部は平行になっている。この状態で、例えば昇降用コード１６を反時計方向に引いた場合、プーリ１４及び回転ドラム２５は反時計方向に回転し、回転ドラム２５に巻き付けられていたベルト１５が巻き出され、可動レール２ｂの自由端（図６の右側端）が図６に示す矢印Ａ方向に折り曲げられた状態となる。可動レール２ｂの上記自由端がユーザーの手が届く位置まで折り曲がれば図７（ｂ）に示すようになり、その状態でスクリーン２０を可動レール２ｂ側へ寄せれば、図７（ｃ）に示すように、可動レール２ｂの端部（自由端）からスクリーン２０を取り外すことができる。
【００４６】
別のスクリーン２０を取り付ける等の場合、上記スクリーン２０を取り外したままの可動レール２ｂの自由端からスクリーン２０の左側端のランナー（図示せず）を自由端に取り付ける。ランナーを順次可動レール２ｂに取り付けながら、スクリーン２０を図７（ｂ）に示すように可動レール２ｂから固定レール２ａへと送り込むことにより、スクリーン２０をカーテンレール２に取り付けることができる。
【００４７】
ユーザーは、カーテンレール２へのスクリーン２０の取り付けが終了したら、下降時とは逆に昇降用コード１６を時計方向に引けば、可動レール２ｂの自由端は図６に示す矢印Ｂ方向へ回動し、図７（ａ）に示すように、可動レール２ｂを固定レール２ａと平行になる位置にまで戻すことができる。
【００４８】
第４の実施の形態によれば、カーテンレール２の全体を下降させることなくスクリーン２０の取り付け・取り外しを行うことができる。また、昇降機構１の簡略化及び部品数の低減を図ることができるので、見栄えを良くし、且つ、コストダウンを図ることができる。その他の効果は、第１の実施の形態と同様である。
【００４９】
［第５の実施の形態］
図８は、本発明に係る昇降可能なカーテンレールを備えたカーテン装置の第５の実施の形態を示す正面図である。このカーテン装置４００は、概略として、建屋内の図示しない窓枠、壁、天井等に取り付けられた昇降機構４０より垂下している第１〜第３のベルト（吊下部材）１５Ａ〜１５Ｃに連結された上記カーテンレール２と、を備えている。カーテンレール２は、図１（第１の実施形態）及び図４（第２の実施形態）に示したように、スクリーン２０が取り付けられている。
【００５０】
昇降機構４０は、概略として、駆動源となる図示しないモータを備えた駆動機構４１と、この駆動機構４１の出力軸に連結されるとともに先端が軸受け４２で軸支され、カーテンレール２の昇降長さに対応する長さを有したスクリューシャフト４３と、スクリューシャフト４３に噛合させて外嵌されスクリューシャフト４３の回転に応じて図の左右方向に移動する吊下部材保持具としてのベルト保持具４４と、ベルト保持具４４に各上端が重なるようにして固定されるとともに各下端がカーテンレール２に固定された上記第１〜第３のベルト１５Ａ〜１５Ｃと、第１〜第３のベルト１５Ａ〜１５Ｃの上部がＵ字形に架け渡された糸巻型のローラ４５と、カーテンレール２の上方に位置させて第１〜第３のベルト１５Ａ〜１５Ｃの下部を９０°に方向を変えながら回転する糸巻型のローラ４６Ａ〜４６Ｃと、これら各部材を収納した状態で窓枠、壁、天井等に取り付けられる収納ボックス４７（図８では前面カバーを外した状態を示す）と、駆動機構４１に電気コード４８によって接続されたリモートコントローラ（コントローラ）４９とを備えている。尚、ベルト保持具４４は、スクリューシャフト４３が回転しても、これに伴って回転しないように図示しないガイドが設けられている。ローラ４５，４６Ａ〜４６Ｃは、昇降機構４０の軽量化のために合成樹脂製等にすることが望ましい。
【００５１】
図９は駆動機構の制御系を示す結線図である。この制御系６０は、ＡＣプラグ４１０付きの電源コード４１１と、この電源コード４１１の端部の一方に接続されたヒューズ４１２と、このヒューズ４１２を介して電源コード４１１の端部に接続されて例えば２４Ｖを出力する変圧器４１３と、変圧器４１３に接続されたダイオードまたはＩＣにより構成されて交流を直流に変換する整流器４１４と、整流器４１４の出力間に接続されて直流出力のリップルを除去する平滑コンデンサ４１５と、収納ボックス４７内に設置されて駆動源となるモータ４１６と、このモータ４１６及び電源コード４１１に接続された上記電気コード４８と、電気コード４８に接続された上記リモートコントローラ４９とを備えている。さらに駆動機構４１には、ベルト保持具４４が規定範囲内を逸脱したことを検出してモータ４１６への通電をオフにするリミットスイッチやリードスイッチ（図示せず）が設けられている。モータ４１６は、例えば減速機構内蔵のＤＣギヤードモータであり、ＤＣ（直流）２４Ｖ等で動作する仕様になっている。
【００５２】
リモートコントローラ４９は、電気コード４８に接続されるとともに連動するスライドスイッチ４９１Ａ，４９１Ｂとを備えており、スライドスイッチ４９１Ａはモータ４１６の例えば＋端子に接続され、スライドスイッチ４９１Ｂはモータ４１６の例えば−端子に接続されている。リモートコントローラ４９は、２回路のスライドスイッチであり、共通接点ａに対し接点ｂ側にスライドされたときに＋出力に接続され、接点ｃ側にスライドされたときに−出力に接続されるように結線されている。そして、モータ４１６はスライドスイッチ４９１Ａ，４９１Ｂの各ａ接点に接続されている。例えば、スライドスイッチ４９１Ａ，４９１Ｂを接点ｂ側へスライドさせたときに正転し、接点ｃ側へスライドさせたときに逆転する。
【００５３】
次に、ローラ４５及びローラ４６Ａ〜４６Ｃは、ベルト１５Ａ〜１５Ｃの幅よりやや広い幅を有して収納ボックス４７の背面等に回転自在に取り付けられている。ベルト１５Ａ〜１５Ｃの各下端は、カーテンレール２の上面に等間隔にして固定されている。
【００５４】
［カーテン装置の操作］
次に、上述したカーテン装置４００の操作について説明する。図８に示す状態はカーテンレール２が最上昇位置にある場合である。この状態からカーテンレール２を下降させたい場合、ユーザーはリモートコントローラ４９を手に持ち、そのスライドスイッチ４９１Ａ，４９１Ｂを指で「下降」の位置へスライドさせる。この操作によって駆動機構４１のモータ４１６に直流電源が印加され、スクリューシャフト４３が回転（例えば正転）することに伴ってベルト保持具４４は図８の右方向へ移動する。このベルト保持具４４の移動に伴って第１〜第３のベルト１５Ａ〜１５Ｃの各上端が右方向へ移動することにより、第１〜第３のベルト１５Ａ〜１５Ｃの各下端がカーテンレール２とともに下降し始める。カーテンレール２が所望の位置にまで下がった時点でユーザーがスライドスイッチ４９１Ａ，４９１Ｂを指で「停止」の位置へスライドさせると、駆動機構４１のモータ４１６への通電が断たれ、スクリューシャフト４３の回転が停止するとともにカーテンレール２の下降が停止する。したがって、ユーザーは手を高く上げたりすることなくスクリーン２０をカーテンレール２から取り外すことができる。尚、スライドスイッチ４９１Ａ，４９１Ｂを「下降」の位置にしたままにしても、ベルト保持具４４が設定位置に到達すればリミットスイッチが動作してモータ４１６への通電が断たれるので、モータ４１６を保護することができる。
【００５５】
次に、上記した位置からカーテンレール２を上昇させたい場合、ユーザーはリモートコントローラ４９のスライドスイッチ４９１Ａ，４９１Ｂを「上昇」の位置へスライドさせる。この操作によって駆動機構４１のモータ４１６は下降時とは逆方向に回転し、スクリューシャフト４３が逆転することに伴ってベルト保持具４４は図８の右方向へ移動する。このベルト保持具４４の移動に伴って第１〜第３のベルト１５Ａ〜１５Ｃの各上端が右方向へ移動することにより、第１〜第３のベルト１５Ａ〜１５Ｃの各下端がカーテンレール２とともに上昇し始める。カーテンレール２が所望の位置へ上がった時点でスライドスイッチ４９１Ａ，４９１Ｂを「停止」の位置へスライドさせると、駆動機構４１のモータ４１６への通電が断たれ、スクリューシャフト４３の回転が停止するとともにカーテンレール２の上昇が停止する。尚、スライドスイッチ４９１Ａ，４９１Ｂを「上昇」の位置にしたままにしても、ベルト保持具４４が設定位置に到達すればリミットスイッチが動作してモータ４１６への通電が断たれる。
【００５６】
第５の実施の形態によれば、リモートコントローラ４９のスライドスイッチ４９１Ａ，４９１Ｂのスライド操作によりモータ４１６を駆動源とした駆動機構４１を制御でき、これにより第１〜第４の実施形態のように手で昇降用コード１６を操作する必要がなくなり、老人や子供でも簡単にカーテンレール２を下降及び上昇させることができる。その他の効果は、第１の実施の形態と同様である。
【００５７】
［第６の実施の形態］
図１０は、本発明に係る昇降可能なカーテンレールを備えたカーテン装置の第６の実施の形態を示す正面図である。このカーテン装置５００は、第５の実施の形態において、駆動機構４１に代えて、第５の実施の形態で説明したモータ４１６及び該モータ４１６により回転駆動されるローラ５２を備えた駆動機構５１を用い、ローラ５２にベルト１５の一端を取り付けてベルト１５の所定長を巻き取り巻き出し可能にし、このベルト１５の他端に第１〜第３のベルト１５Ａ〜１５Ｃの一端（上端）を連結させたものであり、その他の構成は第５の実施の形態と同様である。尚、第１〜第３のベルト１５Ａ〜１５Ｃはベルト全長の中間部までで、中間部から駆動機構５１までの部分は第１〜第３のベルト１５Ａ〜１５Ｃの上端にリベット５４等で連結されたベルト１５が用いられ、これにより昇降機構５０の軽量化及び小型化を可能にしている。
【００５８】
昇降機構５０は、概略として、駆動源としての上記モータ４１６及びモータ４１６の出力軸に設けられた図示しないギア機構等を介して回転駆動される上記ローラ５２を内蔵した上記駆動機構５１と、上記収納ボックス４７内のローラ５２とは反対側の位置に配置されてローラ５２からのベルト１５をＵ字型に折り曲げるローラ５３と、第１〜第３のベルト１５Ａ〜１５Ｃの途中をＵ字型に折り曲げる上記ローラ４５と、ローラ４５からの第１〜第３のベルト１５Ａ〜１５Ｃを９０°に折り曲げる上記ローラ４６Ａ〜４６Ｃと、これら各部材を収納した状態で窓枠、壁、天井等に取り付けられる上記収納ボックス４７と、駆動機構５１に電気コード４８によって接続された上記リモートコントローラ４９とを備えている。
【００５９】
尚、第６の実施の形態において、第１〜第３のベルト１５Ａ〜１５Ｃの上端に連結させたベルト１５をローラ５２に巻き付ける構成にしたが、第１〜第３のベルト１５Ａ〜１５Ｃの上端を延長してローラ５２に巻回させ、ベルト１５を省略してもよい。ただし、ローラ５２の直径が大きくなることで大型化及び重量増は避けられない。
【００６０】
［カーテン装置の操作］
次に、上述したカーテン装置５００の操作について説明する。図１０に示す状態においてはベルト１５の所定長がローラ５２に巻き付けられており、カーテンレール２は最上昇位置にある。この状態からカーテンレール２を下降させたい場合、ユーザーはリモートコントローラ４９を持ち、そのスライドスイッチ４９１Ａ，４９１Ｂを指で「下降」の位置へスライドさせる。この操作によって駆動機構５１のモータ４１６に直流電源が印加され、駆動機構５１のローラ５２が回転（例えば時計方向に回転）し、これに伴ってベルト１５が左方向へ巻き出しされる。これにより、第１〜第３のベルト１５Ａ〜１５Ｃの各上端が図１０に示す右方向へ移動することにより、第１〜第３のベルト１５Ａ〜１５Ｃの各下端がカーテンレール２とともに下降し始める。カーテンレール２が所望の位置にまで下がった時点でユーザーがスライドスイッチ４９１Ａ，４９１Ｂを「停止」の位置へスライドさせると、駆動機構５１のモータ４１６への通電が断たれて駆動機構５１のモータ４１６の回転が停止し、さらに駆動機構５１の移動が停止し、これに伴ってカーテンレール２の下降が停止する。したがって、ユーザーは手を高く上げたりすることなくスクリーン２０をカーテンレール２から取り外すことができる。尚、スライドスイッチ４９１Ａ，４９１Ｂを「下降」の位置にしたままにしても、駆動機構５１が設定位置に到達すればリミットスイッチが動作してモータ４１６への通電が断たれる。
【００６１】
次に、上記した位置からカーテンレール２を上昇させたい場合、ユーザーはリモートコントローラ４９のスライドスイッチ４９１Ａ，４９１Ｂを指で「上昇」の位置にスライドさせる。この操作によって駆動機構５１のモータ４１６及びローラ５２は下降時とは逆方向に回転し、これに伴ってベルト１５の全体が図の右方向へ移動し、第１〜第３のベルト１５Ａ〜１５Ｃの上部が左方向へ移動する。このベルト１５の移動に伴って第１〜第３のベルト１５Ａ〜１５Ｃの各下端がカーテンレール２とともに上昇し始める。カーテンレール２が所望の位置へ上がった時点でユーザーがリモートコントローラ４９のスライドスイッチ４９１Ａ，４９１Ｂを「停止」の位置へスライドさせると、駆動機構５１のモータ４１６への通電が断たれ、駆動機構５１が停止するとともにカーテンレール２の上昇が停止する。尚、スライドスイッチ４９１Ａ，４９１Ｂを「上昇」の位置にしたままにしても、駆動機構５１が設定位置に到達すればリミットスイッチが動作してモータ４１６への通電が断たれる。
【００６２】
第６の実施の形態によれば、リモートコントローラ４９のスライドスイッチ４９１Ａ，４９１Ｂのスライド操作によりモータ４１６を駆動源とした駆動機構５１を制御でき、これにより第１〜第４の実施形態のように手で昇降用コード１６を操作する必要がなくなり、第１及び第５の実施の形態と同様の効果を得ることができる。
【００６３】
［他の実施例］
尚、本発明は、本発明の技術思想を逸脱あるいは変更しない範囲内で種々の変形が可能である。例えば、昇降用コード１６に代えてモータ４１６を駆動源にし、電源スイッチのオン／オフ操作に応じて芯１３を回転させる構成であってもよい。或いは、昇降用コード１６を併用できる構成であってもよい。
【００６４】
また、上記第１〜第４の実施の形態においては、ベルト１５の使用数を２つとしたが、スクリーン２０の幅によっては１つでもよいし、２つ以上であってもよい。ベルト１５を１つにした場合、その幅をスクリーン２０の幅に応じたものにすると共に、回転軸１２，１７はベルト幅に応じた長さにする。
【００６５】
また、ベルト１５は、芯１３に巻き取る・巻き戻すの構成にしたが、ベルト１５をＬ字状に布設し、他端（ブラケット２１Ａ，２１Ｂによって固定されない側）を引く・戻すの駆動により、ベルト１５の全体がＬ字状に移動する構成であってもよい。
【００６６】
また、上記第１〜第３の実施の形態において、ベルト１５は、幅方向の面が側面を向く配置としたが、取付具１１及び回転軸１２と共にベルト１５を図１〜図３の状態から向きを９０°変更した配置にし、ベルト１５の表面が正面を向く構成にしてもよい。
【００６７】
また、上記第１，第３実施の形態においては、構成を分かり易くするため、昇降用コード１６が室内側から見えるように図２に示す如く室内側にプーリ１４を配置したが、プーリ１４を窓側に配置することにより昇降用コード１６を室内側から見えないようにすることができ、見栄えが良くなる。
【００６８】
さらに、第５，第６の実施の形態において、制御系６０は、スライドスイッチ４９１Ａ，４９１Ｂにより回転方向を制御するものとしたが、他の構成、例えば、ドライバＩＣにより駆動し、回転方向を押しボタンにより制御する構成にしてもよい。或いは、赤外光、電波等を用いたリモコンシステムであってもよい。また、第５，第６の実施の形態において、３つの第１〜第３ベルトのベルト１５Ａ〜１５Ｃを設ける構成にしたが、第１，第２のベルト１５Ａ，１５Ｂの２つにしてもよい。また、上記各実施の形態において、ベルト１５及び第１〜第３のベルト１５Ａ〜１５Ｃは、例えばロープ等であってもよい。
【００６９】
以上のように、好ましい各実施形態について説明したが、本発明に係る昇降可能なカーテンレールを備えたカーテン装置１００〜５００は、カーテン、ロールスクリーン、横型ブラインド、ローマンシェードなど窓周りに設置される遮光装置全般に採用可能である。カーテン、ロールスクリーン、横型ブラインド、ローマンシェードなどは経年による汚れによる洗濯、故障修理、交換といった事態となるが予め本発明に係る昇降可能なカーテンレールを備えたカーテン装置を備えておくことでその作業を著しく軽減することができる。また、人が昇降用コードを操作することでプーリを回転させているがこれを電動化することで取り付け高さが１０ｍといった非常に高い位置にカーテンレールが取り付けられている場合でも予め本発明に係る昇降可能なカーテンレールを備えたカーテン装置を取り付けておけば後々の作業は大幅に軽減される。
【産業上の利用可能性】
【００７０】
本発明は、カーテンレール２及びカーテン３に代えて、暖簾（のれん）、看板、照明器具等を昇降させる用途にも適用可能である。
【符号の説明】
【００７１】
１        昇降機構
２        カーテンレール
２ａ      固定レール
２ｂ      可動レール
２ｃ      連結軸
３        カーテン
１０      カバー
１１      取付具
１２      回転軸
１３      芯
１４      プーリ
１５      ベルト（吊下部材）
１５Ａ    第１のベルト
１５Ｂ    第２のベルト
１５Ｃ    第３のベルト
１６      昇降用コード
１７      回転軸
２０      カーテン生地（スクリーン）
２１Ａ    ブラケット
２１Ｂ    ブラケット
２２      Ｖ溝
２３Ａ    ベルトガイド
２３Ｂ    ベルトガイド
２４      回転軸
２５      回転ドラム
３１      ヘッドレール
３２      ウェイトバー
３３      昇降コード
３４      コード止め
３５      操作コード
３６      ロック機構
４０      昇降機構
４１      駆動機構
４２      軸受け
４３      スクリューシャフト
４４      ベルト保持具
４５      ローラ
４６Ａ    ローラ
４６Ｂ    ローラ
４６Ｃ    ローラ
４７      収納ボックス
４８      コード
４９    リモートコントローラ
５０      昇降機構
５１      駆動機構
５２      ローラ
５３      ローラ
６０      制御系
１００    カーテン装置
２００    カーテン装置
３００    カーテン装置
４００    カーテン装置
４１０    ＡＣプラグ
４１１    電源コード
４１２    ヒューズ
４１３    変圧器
４１４    整流器
４１５    平滑コンデンサ
４１６    モータ
４９１Ａ  スライドスイッチ
４９１Ｂ  スライドスイッチ
５００    カーテン装置
【図１】
2011143234.tif 000003
【図２】
2011143234.tif 000004
【図３】
2011143234.tif 000005
【図４】
2011143234.tif 000006
【図５】
2011143234.tif 000007
【図６】
2011143234.tif 000008
【図７】
2011143234.tif 000009
【図８】
2011143234.tif 000010
【図９】
2011143234.tif 000011
【図１０】
2011143234.tif 000012